(57)【要約】【課題】スタンバイモードからコンピュータにより迅速にマルチメディア再生を執行する方法を提供する。【解決手段】主にコンピュータハードディスク中には少なくとも第一ＯＳ、第二ＯＳ、第二ＯＳコアプログラムを保存し、事件信号発生ユニットは該コンピュータに接続する。該コンピュータは該第一ＯＳによりシステム起動手順を完了すると、システムメモリ中に第二ＯＳコアプログラム保存区を形成し、該第二ＯＳコアプログラムを該第二ＯＳコアプログラム保存区にロードする。使用者がスイッチを操作しコンピュータをシャットダウンすると、コンピュータはスタンバイモードに入り、コンピュータのスタンバイモード下で、使用者は事件信号発生ユニットを操作すると、コンピュータはスタンバイモードから呼び覚まされ、システムメモリ中の第二ＯＳコアプログラム保存区の第二ＯＳコアプログラムの執行を開始し、コンピュータはマルチメディア再生モードに入る。【選択図】図１
2007073026.tif 000002
【特許請求の範囲】
【請求項１】
主にコンピュータはＣＰＵと該ＣＰＵに接続するデータストレージメディア、システムメモリ、ＢＩＯＳ、少なくとも１個のマルチメディア再生デバイスを含み、
該データストレージメディア中には第一ＯＳ、第二ＯＳのコアプログラムを保存し、該コンピュータは電源管理メカニズムの制御により、正常なコンピュータ操作モード、スタンバイモード、或いはマルチメディア再生モードを選択的に操作することができ、該方法は以下のステップを含み、
(ａ) コンピュータは該第一ＯＳによりシステム起動手順を完成し、コンピュータは正常な操作モードに入り、
(ｂ) 該コンピュータのシステムメモリにおいて第二ＯＳコアプログラム保存区を形成し、
(ｃ) 該第二ＯＳコアプログラムを該第二ＯＳコアプログラム保存区にロードし、
(ｄ) 使用者がスイッチを操作し該コンピュータのシャットダウンを操作する時には、該電源管理メカニズムは動作を開始し、該コンピュータは正常なコンピュータ操作モードからスタンバイモードに入り、該第一ＯＳはスタンバイモードを呈し、
(ｅ) 該コンピュータのスタンバイモード下において、第一事件信号を探知し、
(ｆ) 該第一事件信号を探知すると、切替え信号を該ＣＰＵに送信し、
(ｇ) 該コンピュータはスタンバイモードから呼び覚まされ、システムメモリの第二ＯＳコアプログラム保存区の第二ＯＳコアプログラムの執行を開始し、コンピュータはマルチメディア再生モードに入ることを特徴とするスタンバイモードからコンピュータにより迅速にマルチメディア再生を執行する方法。
【請求項２】
請求項１記載のスタンバイモードからコンピュータにより迅速にマルチメディア再生を執行する方法において、前記ハードディスクは第一分割区と第二分割区に分割され、該第一分割区中には該第一ＯＳを保存し、該第二分割区には該第二ＯＳのコアプログラム、マルチメディア再生デバイスの駆動プログラム、マルチメディア再生デバイスのアプリケーションプログラムを保存することを特徴とする、スタンバイモードからコンピュータにより迅速にマルチメディア再生を執行する方法。
【請求項３】
請求項１記載のスタンバイモードからコンピュータにより迅速にマルチメディア再生を執行する方法において、前記コンピュータがスタンバイモードに入ると、最小電力を維持しシステムメモリに供給することを特徴とする、スタンバイモードからコンピュータにより迅速にマルチメディア再生を執行する方法。
【請求項４】
請求項１記載のスタンバイモードからコンピュータにより迅速にマルチメディア再生を執行する方法において、前記コンピュータのデータストレージメディア中には少なくとも第一事件信号が対応する予め設定されたマルチメディア再生デバイスの駆動プログラムとマルチメディア再生デバイスのアプリケーションプログラムを保存し、
ステップ(ｇ)の後、さらに該データストレージメディア中より該第一事件信号が対応する予め設定されたマルチメディアデバイス駆動プログラムとマルチメディアアプリケーションプログラム、及び該第一事件信号が対応するマルチメディア再生デバイスの動作開始ステップをロード及び執行することを特徴とする、スタンバイモードからコンピュータにより迅速にマルチメディア再生を執行する方法。
【請求項５】
請求項１記載のスタンバイモードからコンピュータにより迅速にマルチメディア再生を執行する方法において、前記ステップ(g)の後にはさらに以下のステップを含み、
(ｈ) 該コンピュータはマルチメディア再生機能を執行する時、第二事件信号を探知し、
(ｉ) 該第二事件信号を探知すると、該マルチメディア再生モードの執行を停止し、
(ｊ) 該第一ＯＳは呼び覚まされ、コンピュータは正常なコンピュータ操作モードを回復することを特徴とする、スタンバイモードからコンピュータにより迅速にマルチメディア再生を執行する方法。
【請求項６】
主にコンピュータはＣＰＵと該ＣＰＵに接続するデータストレージメディア、システムメモリ、ＢＩＯＳ、少なくとも１個のマルチメディア再生デバイスを含み、
該データストレージメディア中には第一ＯＳ、第二ＯＳのコアプログラムを保存し、該コンピュータは電源管理メカニズムの制御により、正常なコンピュータ操作モード、スタンバイモード、或いはマルチメディア再生モードを選択的に操作することができ、該方法は以下のステップを含み、
(ａ) コンピュータは該第一ＯＳによりシステム起動手順を完成し、コンピュータは正常な操作モードに入り、
(ｂ) 該コンピュータのシステムメモリにおいて第二ＯＳコアプログラム保存区とマルチメディアデバイス駆動プログラム及びアプリケーションプログラムを形成し、
(ｃ) 該第二ＯＳコアプログラムを該第二ＯＳコアプログラム保存区にロードし、
(ｄ) 少なくとも１個のマルチメディアデバイス駆動プログラム及びマルチメディアアプリケーションプログラムは該マルチメディアデバイス駆動プログラム及びアプリケーションプログラム保存区中にロードされ、
(ｅ) 使用者がスイッチを操作し該コンピュータのシャットダウンを操作する時には、該電源管理メカニズムは動作を開始し、該コンピュータは正常なコンピュータ操作モードからスタンバイモードに入り、及び第一ＯＳをスタンバイ状態とし、
(ｆ) 該コンピュータのスタンバイモード下において、第一事件信号を探知し、
(ｇ) 該第一事件信号を探知すると、切替え信号を該ＣＰＵに送信し、
(ｈ) 該コンピュータはスタンバイモードから呼び覚まされ、システムメモリの第二ＯＳコアプログラム保存区の第二ＯＳコアプログラムの執行を開始し、コンピュータはマルチメディア再生モードに入ることを特徴とする、スタンバイモードからコンピュータにより迅速にマルチメディア再生を執行する方法。
【請求項７】
請求項６記載のスタンバイモードからコンピュータにより迅速にマルチメディア再生を執行する方法において、前記ハードディスクは第一分割区と第二分割区に分割され、該第一分割区中には該第一ＯＳを保存し、該第二分割区には該第二ＯＳのコアプログラム、マルチメディア再生デバイスの駆動プログラム、マルチメディア再生デバイスのアプリケーションプログラムを保存することを特徴とする、スタンバイモードからコンピュータにより迅速にマルチメディア再生を執行する方法。
【請求項８】
請求項６記載のスタンバイモードからコンピュータにより迅速にマルチメディア再生を執行する方法において、前記コンピュータがスタンバイモードに入ると、最小電力を維持しシステムメモリに供給することを特徴とする、スタンバイモードからコンピュータにより迅速にマルチメディア再生を執行する方法。
【請求項９】
請求項６記載のスタンバイモードからコンピュータにより迅速にマルチメディア再生を執行する方法において、前記ステップ(ｄ)中のマルチメディア再生デバイスの駆動プログラムとマルチメディア再生デバイスのアプリケーションプログラムはコンピュータのデータストレージメディア中から読み取られることを特徴とする、スタンバイモードからコンピュータにより迅速にマルチメディア再生を執行する方法。
【請求項１０】
請求項６記載のスタンバイモードからコンピュータにより迅速にマルチメディア再生を執行する方法において、前記ステップ(ｉ)の後にはさらに該第一事件信号が対応する予め設定するマルチメディアデバイス駆動プログラム及びマルチメディアアプリケーションプログラムを執行し、及び該第一事件信号が対応するマルチメディア再生デバイスの作動を起動するステップを含むことを特徴とする、スタンバイモードからコンピュータにより迅速にマルチメディア再生を執行する方法。
【請求項１１】
請求項６記載のスタンバイモードからコンピュータにより迅速にマルチメディア再生を執行する方法において、前記ステップ(i)の後にはさらに以下のステップを含み、
(ｊ) 該コンピュータはマルチメディア再生機能を執行する時、第二事件信号を探知し、
(ｋ) 該第二事件信号を探知すると、該マルチメディア再生モードの執行を停止し、
(ｌ) 該第一ＯＳは呼び覚まされ、コンピュータは正常なコンピュータ操作モードを回復することを特徴とする、スタンバイモードからコンピュータにより迅速にマルチメディア再生を執行する方法。
【発明の詳細な説明】
【技術分野】
【０００１】
本発明は一種のコンピュータにおけるマルチメディア再生の方法に関する。特に一種のスタンバイモードからコンピュータにより迅速にマルチメディア再生を執行する方法に係る。
【背景技術】
【０００２】
コンピュータ技術において公知の方法は同一のコンピュータ中に１つのＯＳシステムをインストールし、コンピュータが起動すると、システムの基本軌道手順が完成後、ハードディスク中のＯＳをセットアップ及び執行し、デバイス駆動プログラムと指定されたアプリケーションプログラムをセットアップ及び執行するものである。
【０００３】
コンピュータ機能が拡大するに連れ、コンピュータの応用領域もますます広がっており、コンピュータメーカーは様々な機能を設計し、消費者のニーズに応えている。典型的な応用では、コンピュータを家電或いはマルチメディア再生デバイスと結合し、さらに優れた機能を具えたマルチメディアコンピュータとするものがある。
【０００４】
異なるＯＳはそれぞれの優位があるため、業者は２つのＯＳを具えたマルチメディアコンピュータを開発した。該装置は一般にハードディスクを２つのハードディスク分割区に分け、１つの分割区に第一ＯＳを設置し、もう１つの分割区に第二ＯＳを設置する。該第一ＯＳは通常のコンピュータ作業モードの制御を担当し、該第二ＯＳはマルチメディア再生モードの制御を担当する。
【０００５】
節電技術の面では、コンピュータシステムがプログラムの起動を完了すると、接続された各構成部品は駆動され作動状態となるため、コンピュータシステム全体は決まった電力を消費する。省エネとコンピュータシステムの使用寿命延長を達成するために、現在コンピュータにおいて広く使用されているウィンドウズ（登録商標）ＯＳでは、既にＯＳ中にＡＣＰＩの電源管理機能を結合しており、該ＡＣＰＩによりコンピュータシステム中の関連ハードディスクの電源管理操作を制御する。
【０００６】
該ＡＣＰＩは周辺設備の電力使用状況をも管理可能である。ＡＣＰＩが規定する電源管理機能には電源オン、休眠、スタンバイ、電源オフ機能を含む。典型的なＡＣＰＩアーキテクチャでは、電源の状態は以下の５種の異なる電源状態に定義される。
ＳＯ−正常な電力供給状態。
Ｓ１−第一段階のスタンバイ状態。この状態では、モニタとハードディスクへの電力供給を停止するが、ＣＰＵ、メモリ、ファンには電力を供給する。
Ｓ２−第二段階のスタンバイ状態。この状態では、モニタとハードディスクへの電力供給を停止する他、ＣＰＵとキャッシュメモリへの電源供給も停止する。
Ｓ３−第三段階のスタンバイ状態。この状態では、モニタ、ハードディスク、ＣＰＵ、キャッシュメモリへの電力供給を停止し、最小電力を維持しＰＡＭに供給する。
Ｓ４−休眠状態。この状態では、すべてのデバイスとパーツへの電力供給を停止するが、ＯＳは電源オフ前においては、開いたデータとプログラムの執行状態を保存することができる。
Ｓ５−すべての電源の供給を停止する。
使用者の設定に基づき、コンピュータシステムはスタンバイ或いは休眠状態に入り、スタンバイ時にはコンピュータシステムは低電力消耗状態となり、休眠時にはコンピュータシステム処理はいっそうの節電状態となる。
【発明の開示】
【発明が解決しようとする課題】
【０００７】
しかし、コンピュータと家電或いはマルチメディアデバイス間には、各自のハードディスクアーキテクチャ設計と機能のニーズが異なるため、家電或いはマルチメディア再生デバイスを統合したコンピュータシステム中では、そのコンピュータシステムの起動時間は、一般の家電或いはマルチメディアデバイス(音楽ディスクデバイス、影像ディスクデバイスなど)の操作方式のようには即時にスタートとは行かない。
【０００８】
業者は異なるＯＳによりコンピュータ操作モードとマルチメディア再生モードの制御を行うように設計してはいるが、マルチメディア再生機能を執行する時には、コンピュータシステムを通して該マルチメディアデバイスのアプリケーションプログラムを起動しなければ執行することはできない。よって、使用者は無駄に長い起動手順を待たなければならない。さらに、使用者は先ずコンピュータシステムを起動し、該コンピュータシステムがＢＩＯＳを起動し、ＰＯＳＴ、周辺設備の探知と駆動、ＯＳの起動、システム構成設定などのすべての手順を完成後、初めて該マルチメディア再生機能を執行することができる。この種の方式は一般使用者がマルチメディア再生を行う時の習慣にはそぐわないものである。
【０００９】
単一のＯＳ或いは２つのＯＳを具えたマルチメディアコンピュータシステムアーキテクチャ共に、使用者は無駄に長い起動手順を待つ必要があるが、その内の１つの方法は先ずコンピュータデバイスの電源をオンにし、コンピュータデバイスをいつでも起動可能な状態にしておくことだが、この方法はコンピュータに無駄な電力を消費させてしまう。
【００１０】
それは主にスタンバイモードからコンピュータにより迅速にマルチメディア再生を執行する方法を提供し、該方法により使用者はコンピュータの電源をシャットダウンする時、本発明の設計を通して、実際にはコンピュータはスタンバイ状態に入るだけで、使用者がマルチメディア再生機能を執行しようとする時には、該コンピュータはスタンバイ状態から呼び覚まされ、マルチメディア再生モードに入り、
またそれはスタンバイモードからコンピュータにより迅速にマルチメディア再生を執行する方法を提供し、該方法により２個以上のＯＳを搭載するコンピュータにおいて、異なるＯＳ間の切替を迅速に行うことができ、
さらにそれはスタンバイモードからコンピュータにより迅速にマルチメディア再生を執行する方法を提供し、該方法はコンピュータ中のシステムに第二ＯＳコアプログラム保存区を配置し、第二ＯＳコＳプログラムを搭載し、コンピュータがスタンバイ状態から呼び覚まされた時に、該第二ＯＳにおいて迅速に切替え操作を行うことができ、
すなわちそれは、少なくとも１つの第一ＯＳと第二ＯＳと第二ＯＳコアプログラムを含み、事件信号発生ユニットはコンピュータに接続し、
コンピュータは該第一ＯＳによりシステム起動手順を完成後、システムメモリ中に第二ＯＳコアプログラム保存区を形成し、該第二ＯＳコアプログラムを該第二ＯＳコアプログラム保存区に設置し、
使用者がスイッチユニットを操作しコンピュータをシャットダウンする時、コンピュータはスタンバイモードに入り、コンピュータはスタンバイモードで使用者が事件信号発生ユニットを操作すると、コンピュータはスタンバイモードから読み覚まされ、システムメモリ中の第二ＯＳコアプログラム保存区の第二ＯＳコアプログラムの執行を起動し、コンピュータはマルチメディア再生モードに入る。
【００１１】
本発明の最適実施例中において、該システムメモリ中には第二ＯＳコアプログラム保存区を形成する他、マルチメディアデバイス駆動プログラムとアプリケーションプログラム保存区を形成し、マルチメディアデバイス駆動プログラムとマルチメディアアプリケーションプログラムを保存し、コンピュータがスタンバイモードから呼び覚まされマルチＭで再生モードに入ると、該マルチメディアデバイス駆動プログラムとアプリケーションプログラム保存区中より直接該マルチメディアデバイス駆動プログラムとアプリケーションプログラムは執行されることを特徴とするスタンバイモードからコンピュータにより迅速にマルチメディア再生を執行する方法である。
【課題を解決するための手段】
【００１２】
請求項１の発明は、主にコンピュータはＣＰＵと該ＣＰＵに接続するデータストレージメディア、システムメモリ、ＢＩＯＳ、少なくとも１個のマルチメディア再生デバイスを含み、
該データストレージメディア中には第一ＯＳ、第二ＯＳのコアプログラムを保存し、該コンピュータは電源管理メカニズムの制御により、正常なコンピュータ操作モード、スタンバイモード、或いはマルチメディア再生モードを選択的に操作することができ、該方法は以下のステップを含み、
(ａ) コンピュータは該第一ＯＳによりシステム起動手順を完成し、コンピュータは正常な操作モードに入り、
(ｂ) 該コンピュータのシステムメモリにおいて第二ＯＳコアプログラム保存区を形成し、
(ｃ) 該第二ＯＳコアプログラムを該第二ＯＳコアプログラム保存区にロードし、
(ｄ) 使用者がスイッチを操作し該コンピュータのシャットダウンを操作する時には、該電源管理メカニズムは動作を開始し、該コンピュータは正常なコンピュータ操作モードからスタンバイモードに入り、該第一ＯＳはスタンバイモードを呈し、
(ｅ) 該コンピュータのスタンバイモード下において、第一事件信号を探知し、
(ｆ) 該第一事件信号を探知すると、切替え信号を該ＣＰＵに送信し、
(ｇ) 該コンピュータはスタンバイモードから呼び覚まされ、システムメモリの第二ＯＳコアプログラム保存区の第二ＯＳコアプログラムの執行を開始し、コンピュータはマルチメディア再生モードに入ることを特徴とするスタンバイモードからコンピュータにより迅速にマルチメディア再生を執行する方法としている。
請求項２の発明は、請求項１記載のスタンバイモードからコンピュータにより迅速にマルチメディア再生を執行する方法において、前記ハードディスクは第一分割区と第二分割区に分割され、該第一分割区中には該第一ＯＳを保存し、該第二分割区には該第二ＯＳのコアプログラム、マルチメディア再生デバイスの駆動プログラム、マルチメディア再生デバイスのアプリケーションプログラムを保存することを特徴とする、スタンバイモードからコンピュータにより迅速にマルチメディア再生を執行する方法としている。
請求項３の発明は、請求項１記載のスタンバイモードからコンピュータにより迅速にマルチメディア再生を執行する方法において、前記コンピュータがスタンバイモードに入ると、最小電力を維持しシステムメモリに供給することを特徴とする、スタンバイモードからコンピュータにより迅速にマルチメディア再生を執行する方法としている。
請求項４の発明は、請求項１記載のスタンバイモードからコンピュータにより迅速にマルチメディア再生を執行する方法において、前記コンピュータのデータストレージメディア中には少なくとも第一事件信号が対応する予め設定されたマルチメディア再生デバイスの駆動プログラムとマルチメディア再生デバイスのアプリケーションプログラムを保存し、
ステップ(ｇ)の後、さらに該データストレージメディア中より該第一事件信号が対応する予め設定されたマルチメディアデバイス駆動プログラムとマルチメディアアプリケーションプログラム、及び該第一事件信号が対応するマルチメディア再生デバイスの動作開始ステップをロード及び執行することを特徴とする、スタンバイモードからコンピュータにより迅速にマルチメディア再生を執行する方法としている。
請求項５の発明は、請求項１記載のスタンバイモードからコンピュータにより迅速にマルチメディア再生を執行する方法において、前記ステップ(g)の後にはさらに以下のステップを含み、
(ｈ) 該コンピュータはマルチメディア再生機能を執行する時、第二事件信号を探知し、
(ｉ) 該第二事件信号を探知すると、該マルチメディア再生モードの執行を停止し、
(ｊ) 該第一ＯＳは呼び覚まされ、コンピュータは正常なコンピュータ操作モードを回復することを特徴とする、スタンバイモードからコンピュータにより迅速にマルチメディア再生を執行する方法としている。
請求項６の発明は、主にコンピュータはＣＰＵと該ＣＰＵに接続するデータストレージメディア、システムメモリ、ＢＩＯＳ、少なくとも１個のマルチメディア再生デバイスを含み、
該データストレージメディア中には第一ＯＳ、第二ＯＳのコアプログラムを保存し、該コンピュータは電源管理メカニズムの制御により、正常なコンピュータ操作モード、スタンバイモード、或いはマルチメディア再生モードを選択的に操作することができ、該方法は以下のステップを含み、
(ａ) コンピュータは該第一ＯＳによりシステム起動手順を完成し、コンピュータは正常な操作モードに入り、
(ｂ) 該コンピュータのシステムメモリにおいて第二ＯＳコアプログラム保存区とマルチメディアデバイス駆動プログラム及びアプリケーションプログラムを形成し、
(ｃ) 該第二ＯＳコアプログラムを該第二ＯＳコアプログラム保存区にロードし、
(ｄ) 少なくとも１個のマルチメディアデバイス駆動プログラム及びマルチメディアアプリケーションプログラムは該マルチメディアデバイス駆動プログラム及びアプリケーションプログラム保存区中にロードされ、
(ｅ) 使用者がスイッチを操作し該コンピュータのシャットダウンを操作する時には、該電源管理メカニズムは動作を開始し、該コンピュータは正常なコンピュータ操作モードからスタンバイモードに入り、及び第一ＯＳをスタンバイ状態とし、
(ｆ) 該コンピュータのスタンバイモード下において、第一事件信号を探知し、
(ｇ) 該第一事件信号を探知すると、切替え信号を該ＣＰＵに送信し、
(ｈ) 該コンピュータはスタンバイモードから呼び覚まされ、システムメモリの第二ＯＳコアプログラム保存区の第二ＯＳコアプログラムの執行を開始し、コンピュータはマルチメディア再生モードに入ることを特徴とする、スタンバイモードからコンピュータにより迅速にマルチメディア再生を執行する方法としている。
請求項７の発明は、請求項６記載のスタンバイモードからコンピュータにより迅速にマルチメディア再生を執行する方法において、前記ハードディスクは第一分割区と第二分割区に分割され、該第一分割区中には該第一ＯＳを保存し、該第二分割区には該第二ＯＳのコアプログラム、マルチメディア再生デバイスの駆動プログラム、マルチメディア再生デバイスのアプリケーションプログラムを保存することを特徴とする、スタンバイモードからコンピュータにより迅速にマルチメディア再生を執行する方法としている。
請求項８の発明は、請求項６記載のスタンバイモードからコンピュータにより迅速にマルチメディア再生を執行する方法において、前記コンピュータがスタンバイモードに入ると、最小電力を維持しシステムメモリに供給することを特徴とする、スタンバイモードからコンピュータにより迅速にマルチメディア再生を執行する方法としている。
請求項９の発明は、請求項６記載のスタンバイモードからコンピュータにより迅速にマルチメディア再生を執行する方法において、前記ステップ(ｄ)中のマルチメディア再生デバイスの駆動プログラムとマルチメディア再生デバイスのアプリケーションプログラムはコンピュータのデータストレージメディア中から読み取られることを特徴とする、スタンバイモードからコンピュータにより迅速にマルチメディア再生を執行する方法としている。
請求項１０の発明は、請求項６記載のスタンバイモードからコンピュータにより迅速にマルチメディア再生を執行する方法において、前記ステップ(ｉ)の後にはさらに該第一事件信号が対応する予め設定するマルチメディアデバイス駆動プログラム及びマルチメディアアプリケーションプログラムを執行し、及び該第一事件信号が対応するマルチメディア再生デバイスの作動を起動するステップを含むことを特徴とする、スタンバイモードからコンピュータにより迅速にマルチメディア再生を執行する方法としている。
請求項１１の発明は、請求項６記載のスタンバイモードからコンピュータにより迅速にマルチメディア再生を執行する方法において、前記ステップ(i)の後にはさらに以下のステップを含み、
(ｊ) 該コンピュータはマルチメディア再生機能を執行する時、第二事件信号を探知し、
(ｋ) 該第二事件信号を探知すると、該マルチメディア再生モードの執行を停止し、
(ｌ) 該第一ＯＳは呼び覚まされ、コンピュータは正常なコンピュータ操作モードを回復することを特徴とする、スタンバイモードからコンピュータにより迅速にマルチメディア再生を執行する方法としている。
【発明の効果】
【００１３】
本発明の設計によりコンピュータは第一ＯＳの起動手順を完了後、スタンバイモードから随時、予め設定する事件信号が発生を探知し、該予め設置する事件信号の発生が探知されると、該コンピュータはスタンバイモードから呼び覚まされ、第二ＯＳのコアプログラムを執行し、コンピュータは迅速にマルチメディア再生モードに入ることができる。実際の応用時に、コンピュータがマルチメディア再生或いは情報家電機能と結合する場合には、該ＯＳの迅速な切替え操作により、迅速にマルチメディア再生或いは情報家電機能切替える機能を達成する。使用者は無駄に長い起動時間を待つ必要がなく、しかも節電効果をも達成することができる。さらに、コンピュータは本発明の制御により、マルチメディア再生の機能を執行する時には、予め設定する第二事件信号を探知した場合には、コンピュータはマルチメディア再生モードを停止し、第一ＯＳは呼び覚まされ、コンピュータは正常な操作モードを回復する。このように、コンピュータは第一ＯＳに迅速に切替えられ、改めで第一ＯＳを起動しなおす必要はない。
【発明を実施するための最良の形態】
【００１４】
図１に示すように、本発明のコンピュータ１００はＣＰＵ１１、第一バスブリッジ１２、第二バスブリッジ１３を含む。
該ＣＰＵ１１はシステムバスにより該第一バスブリッジ１２に接続し、該第一バスブリッジ１２はシステムメモリ１４を接続し、ディスプレーインターフェース１５０によりディスプレー１５を接続する。
【００１５】
該第二バスブリッジ１３はＢＩＯＳメモリ１６を接続し、該ＢＩＯＳメモリ１６中にはコンピュータが起動時に必要なＢＩＯＳプログラム１６１とＰＯＳＴプログラム１６２を保存する。
【００１６】
該第二バスブリッジ１３はバスによりハードディスクインターフェース１７０を接続し、さらに該ハードディスクインターフェース１７０によりハードディスク１７を接続する。該ハードディスク１７は本発明中のデータ保存メディアである。該ハードディスク１７中には第一分割区１７１と第二分割区１７２を区分し、該第一分割区１７１中には第一ＯＳ１７１ａを保存する。該第一ＯＳ１７１ａは現在広く使用されているウィンドウズ（登録商標）ＯＳとすることができる。コンピュータが起動する時、該第一ＯＳ１７１ａにより起動すると、コンピュータは該第一ＯＳ１７１ａ下での操作となる。該第一分割区１７１中にはコンピュータ１００の作動に必要な各デバイスの駆動プログラム１７１ｂとアプリケーションプログラム１７１ｃも設置する。
【００１７】
該ハードディスク１７の第分割区１７２中には第二ＯＳ１７２ａと第二ＯＳコアプログラム１７２ｂを設置する。該第二ＯＳコアプログラム１７２ｂはＬｉｎｕｘ ＯＳ或いはシンクライアント型ウィンドウズ（登録商標）ＯＳ、エムベディッド型ＯＳなどの他のＯＳとすることができる。
【００１８】
該第二分割区１７２中には該第二ＯＳ１７２ａ下で操作可能な各マルチメディアデバイスの駆動プログラム１７２ｃを保存する。実際の応用時には、該マルチメディアデバイス駆動プログラム１７２ｃとマルチメディアアプリケーションプログラム１７２ｄは音楽ディスク、デジタル音楽デバイス、AVディスク、テレビ受信機などの各デバイスの駆動プログラムとそのアプリケーションプログラムとすることができる。
【００１９】
該第二バスブリッジ１３は電源管理メカニズム１８を接続し、ＡＣＰＩ、或いはＡＰＭの電源管理機能とすることができる。該電源管理メカニズム１８はＯＳにより管理され、ＢＩＯＳによって管理することができる。
【００２０】
該コンピュータ１００の第二バスブリッジ１３はバス１３０を通してマルチメディアインターフェース１９０によりマルチメディア再生デバイス１９に接続する。該マルチメディア再生デバイス１９はＤＶＤ、ＭＰ３、ＣＤ、テレビなどの再生装置とすることができる。
【００２１】
該コンピュータ１００の第二バスブリッジ１３はバス１３０を通してキーボードコントローラー２を接続する。該キーボードコントローラー２はキーボードＢＩＯＳ２１、キーボード２２、マウス２３を接続する。
【００２２】
該キーボードコントローラー２は事件信号発生ユニット２４を接続し、該事件信号発生ユニット２４は少なくとも１個のボタン或いは他の操作信号を発生可能なパーツを含み、使用者の操作により、マルチメディア再生モードを発生可能な第一事件信号ｓ１を発生し該キーボードコントローラー２に伝送し、コンピュータ操作モードの第二事件信号ｓ２を発生し該キーボードコントローラー２に伝送する。該第一事件信号ｓ１と第二事件信号ｓ２の発生は該キーボード２２上に設置する指定ボタンを押すと発生する信号である。
【００２３】
実際の応用時には、該事件信号発生ユニット２４は予め設定されたＡＶ再生デバイスの作動を迅速に起動する制御ボタンとして定義される。該事件信号発生ユニット２４は該ＡＶ再生デバイスのパネル或いはコンピュータのボタン上に設置可能で、或いはリモコンのボタンとして設置することができる。
【００２４】
電源コンバーター３は交流電源ＡＣＶにより作業電源を取得し、その出力端により数種の予め電圧レベルの直流電圧Vを供給する。例えば、現在典型的なコンピュータのパワーサプライシステム中では、該電源コンバーター３は通常＋３.３Ｖ、＋５Ｖ、＋１２Ｖ、-５Ｖ、-１２Ｖなど規格の出力直流電圧を具える。これら出力直流電圧は異なる回路を経由し、各異なる回路のパーツに電力を供給する。
【００２５】
スイッチ３１は該電源コンバーター３に接続し、使用者に操作を提供する。該電源管理メカニズム１８が生じる制御信号ｓ３の制御により、該電源コンバーター３の電源供給状況を制御し、該コンピュータ１００は正常なコンピュータ操作モード、スタンバイモード、マルチメディア再生モードで操作される。
【００２６】
図２、３と図１に合わせて示すように、該コンピュータ１００の電源が入ると(ステップ１０１)、該コンピュータ１００は先ずシステム起動手順を進行する(ステップ１０２)。
【００２７】
この時、該コンピュータ１００はＢＩＯＳメモリ１６中よりＢＯＰＳ１６１とＰＯＳＴ１６２をセットする。該コンピュータ１００がシステム起動とＰＯＳＴ手順を完了後、該コンピュータ１００は該ハードディスク１７中の第一分割区１７１の第一ＯＳ１７１ａをセット及び執行し(ステップ１０３)、該コンピュータ１００は正常なコンピュータ操作モードに入る(ステップ１０４)。この後、使用者は一般のコンピュータ操作方式により該コンピュータを操作する。
【００２８】
該コンピュータ１００が該第一ＯＳ１７１ａのロードと執行を完成後、システムメモリ１４中には第二ＯＳコアプログラム保存区１４１が形成される(ステップ１０５)。該ハードディスク１７の第二分割区１７２により該第二ＯＳコアプログラム１７２ｂを該第二ＯＳコアプログラム保存区１４１に設置し(ステップ１０６)、セイフモードにより該システムメモリ１４中に常駐させる。該第二ＯＳコアプログラム１７２ｂは圧縮ファイルの形態で該第二ＯＳコアプログラム保存区１４１中に保存され、必要とする保存空間を減少させることができる。
【００２９】
使用者がスイッチ３１を操作し該コンピュータをシャットダウンしようとする時には、本発明は該スイッチ３１の状態を探知する(ステップ１０７)。この時、該電源管理メカニズム１８は動作を開始し(ステップ１０８)、該電源管理メカニズム１８の管理下において、該コンピュータ１００は実際にはコンピュータをスタンバイモードにする(ステップ１０９)。ならびに、該第一ＯＳの執行もまたスタンバイ状態となる。この状態においてはディスプレー１５、ハードディスク１７、ＣＰＵ１１などへの電力供給を停止し、最小電力を維持し該システムメモリ１４と該キーボードコントローラー２だけに供給する。
【００３０】
該コンピュータ１００がスタンバイモードに入ると、該キーボードコントローラー２は該事件信号発生ユニット２４の状態を探知し、使用者が該事件信号発生ユニット２４を押し操作することを探知したなら、該事件信号発生ユニット２４が発生する事件信号ｓ１により該キーボードコントローラー２は探知される(ステップ１１０)。さらに、該キーボードコントローラー２は切替え信号ｓｗを発生しＣＰＵ１１に送信する(ステップ１１１)。
【００３１】
該ＣＰＵ１１が該切替え信号swを受信後、スタンバイモードは呼び覚まされ(ステップ１１２)、直ちに該システムメモリ１４中の第二ＯＳコアプログラム保存区１４１の第二ＯＳコアプログラム１７２ｂの執行を開始する(ステップ１１３)。ならびに、該ハードディスク１７の第二分割区１７２中より、該第一事件信号ｓ１が予め設定するマルチメディアデバイス駆動プログラム１７２ｃとマルチメディアアプリケーションプログラム１７２ｄを設置及び執行し、該コンピュータ１００はマルチメディア再生モードに入る。こうして対応するマルチメディア再生デバイス１９は作動を開始し(ステップ１１５)、使用者はコンピュータの電源を入れる必要なく、かつ無駄に長い起動手順を待つ必要なく、迅速にマルチメディア再生機能を実行することができる。
【００３２】
該コンピュータ１００がマルチメディア再生の機能を執行する時、もし第二事件信号ｓ２を探知したなら(ステップ１１６)、該コンピュータはマルチメディア再生モードの執行を停止する(ステップ１１７)。またこの時、該コンピュータは第二ＯＳコアプログラム、マルチメディアデバイス駆動プログラム１７２ｃとマルチメディアアプリケーションプログラム１７２ｄを停止する。続いて該第一ＯＳは呼び覚まされ、コンピュータは正常なコンピュータ操作モードを回復する(ステップ１１８)。こうして、該コンピュータ１００が第一ＯＳに切替えられても、新たに該ＯＳを起動しなおす必要はない。
【００３３】
図４に示すように、本発明の第二実施例の大部分の構成は第一実施例と同様である。その差異は、該システムメモリ１４中において、保存空間が大きければ、第二ＯＳコアプログラム保存区１４１を形成可能な他に、第二分割区１７２中のマルチメディアデバイス駆動プログラム１７２ｃとマルチメディアアプリケーションプログラム１７２ｄを保存するマルチメディアデバイス駆動プログラムとマルチメディアアプリケーションプログラム保存区１４２を設置することができる。
【００３４】
図５と図６に示すように、該コンピュータ１００の電源が入れられると(ステップ２０１)、該コンピュータ１００は先ずシステム起動手順を進行する(ステップ２０２)。この時、該コンピュータ１００は該ＢＩＯＳメモリ１６中よりＢＩＯＳ１６１とＰＯＳＴ１６２を設置する。該コンピュータ１００はシステム初期化とＰＯＳＴ手順を完成後、該コンピュータ１００は該ハードディスク１７中の第一分割区１７１の第一ＯＳ１７１aを設置及び執行する(ステップ２０３)。こうして該コンピュータ１００は正常なコンピュータ操作モードに入る(ステップ２０４)。この後、使用者は一般のコンピュータ操作方式により該コンピュータを操作することができる。
【００３５】
該コンピュータ１００が該第一OSの設置と執行を完成後、該システムメモリ１４中には第二OSコアプログラム保存区１４１とマルチメディアデバイス駆動プログラムとマルチメディアアプリケーションプログラム保存区１４２を形成する(ステップ２０５)。該ハードディスク１７の第二分割区１７２中より該第二ＯＳコアプログラム１７２ｂを該第二ＯＳコアプログラム保存区１４１に設置し(ステップ２０６)、セイフモードにより該システムメモリ１４中において常駐させる。続いて、該ハードディスク１７の第二分割区１７２中より、該第二分割区１７２中のマルチメディアデバイス駆動プログラム１７２ｃとマルチメディアアプリケーションプログラム１７２ｄを該マルチメディアデバイス駆動プログラムとマルチメディアアプリケーションプログラム保存区１４２中に設置する(ステップ２０７)。
【００３６】
使用者が該スイッチ３１を操作しコンピュータをシャットダウンしようとする時には、本発明は該スイッチ３１の状態を探知する(ステップ２０８)。この時、該電源管理メカニズム１８は動作を開始し(ステップ２０９)、該電源管理メカニズム１８の管理下において、該コンピュータ１００は実際にはコンピュータをスタンバイモードにする(ステップ２１０)。ならびに、該第一ＯＳの執行もまたスタンバイ状態となる。この状態においてはディスプレー１５、ハードディスク１７、ＣＰＵ１１などへの電力供給を停止し、最小電力を維持し該システムメモリ１４と該キーボードコントローラー２だけに供給する。
【００３７】
該コンピュータ１００がスタンバイモードに入ると、該キーボードコントローラー２は該事件信号発生ユニット２４の状態を探知し、使用者が該事件信号発生ユニット２４を押し操作することを探知したなら、該事件信号発生ユニット２４が発生する事件信号ｓ１により該キーボードコントローラー２は探知される(ステップ２１１)。さらに、該キーボードコントローラー２は切替え信号swを発生しＣＰＵ１１に送信する(ステップ２１２)。
【００３８】
該ＣＰＵ１１が該切替え信号ｓｗを受信後、スタンバイモードは呼び覚まされ(ステップ２１３)、直ちに該システムメモリ１４中の第二ＯＳコアプログラム保存区１４１の第二ＯＳコアプログラム１７２ｂの執行を開始する(ステップ２１４)。ならびに、該ハードディスク１７の第二分割区１７２中より、該第一事件信号ｓ１が予め設定するマルチメディアデバイス駆動プログラム１７２ｃとマルチメディアアプリケーションプログラム１７２ｄを設置及び執行し、該コンピュータ１００はマルチメディア再生モードに入る。こうして対応するマルチメディア再生デバイス１９は作動を開始し(ステップ２１５)、使用者はコンピュータの電源を入れる必要なく、かつ無駄に長い起動手順を待つ必要なく、迅速にマルチメディア再生機能を実行することができる。
【００３９】
該コンピュータ１００がマルチメディア再生の機能を執行する時、もし第二事件信号ｓ２を探知したなら(ステップ２１６)、該コンピュータはマルチメディア再生モードの執行を停止する(ステップ２１７)。またこの時、該コンピュータは第二ＯＳコアプログラム、マルチメディアデバイス駆動プログラム１７２ｃとマルチメディアアプリケーションプログラム１７２ｄを停止する。続いて該第一ＯＳは呼び覚まされ、コンピュータは正常なコンピュータ操作モードを回復する(ステップ２１８)。こうして、該コンピュータ１００が第一ＯＳに切替えられても、新たに該ＯＳを起動しなおす必要はない。
【図面の簡単な説明】
【００４０】
【図１】本発明第一実施例のシステム機能ブロックチャートである。
【図２】図１の制御フローチャート１である。
【図３】図１の制御フローチャート２である。
【図４】本発明第一実施例のシステム機能ブロックチャートである。
【図５】図４の制御フローチャート１である。
【図６】図４の制御フローチャート２である。
【符号の説明】
【００４１】
１００  コンピュータ
１１  ＣＰＵ
１２  第一バスブリッジ
１３  第二バスブリッジ
１４  システムメモリ
１４１  第二ＯＳコアプログラム保存区
１４２  マルチメディアデバイス駆動プログラムとアプリケーションプログラム保存区
１５  ディスプレー
１５０  ディスプレーインターフェース
１６  ＢＩＯＳメモリ
１６１  ＢＩＯＳプログラム
１６２  ＰＯＳＴプログラム
１７  ハードディスク
１７０  ハードディスクインターフェース
１７１  第一分割区
１７１ａ  第一ＯＳ
１７１ｂ  デバイス駆動プログラム
１７１ｃ  アプリケーションプログラム
１７２  第二分割区
１７２ａ  第二ＯＳ
１７２ｂ  第二ＯＳコアプログラム
１７２ｃ  マルチメディアデバイス駆動プログラム
１７２ｄ  マルチメディアアプリケーションプログラム
１８  電源管理メカニズム
１９  マルチメディア再生デバイス
１９０  マルチメディアＡＶインターフェース
２  キーボードコントローラー
２１  キーボードＢＩＯＳ
２２  キーボード
２３  マウス
２４  事件信号発生ユニット
３  電源コンバーター
３１  スイッチ
【図１】
2007073026.tif 000003
【図２】
2007073026.tif 000004
【図３】
2007073026.tif 000005
【図４】
2007073026.tif 000006
【図５】
2007073026.tif 000007
【図６】
2007073026.tif 000008